(57)【要約】      （修正有）【課題】石花立の転倒を防止するとともに、納骨室に通ずる開口部に設けた扉のロックと解除を部外者に分かりにくくした供物台を提供する。【解決手段】供物台は、供物台下石２と、左右に立設する一対の石花立４と、石花立の上に掛け渡される笠石１と、開口部を塞ぐ引き戸式の供物台扉３と、一対の花筒５とから構成される。石花立の各上面にはホゾ凸部が形成され、笠石の下面にはホゾ凸部と嵌合するホゾ凹部１２と、上ガイド溝１３と、上ガイド溝に連接する被係止溝１４とが形成され、供物台下石は、下ガイド溝を備える。扉は、上端部が上ガイド溝を、下端部が下ガイド溝を移動可能であるとともに、扉が閉じた状態では、扉は被係止溝に係止し、笠石を手前に引き出すと扉は被係止溝から外れ、上ガイド溝に沿って移動可能となる。また、花筒を、笠石の貫通孔１５から石花立に差し込むと扉をロックできる。【選択図】図２
0003227426.tif 000002
【実用新案登録請求の範囲】
【請求項１】
墓等の納骨空間を塞ぐ位置に配置される供物台であって、
供物台下石と、該供物台下石の左右に立設する一対の石花立と、該石花立の上に掛け渡される笠石と、前記供物台の開口部を塞ぐ引き戸式の供物台扉と、仏花をお供えする一対の花筒から構成され、
前記石花立の各上面には、前端部から直状に後方に向かって設けられ、後端部の手前で途切れるホゾ凸部と、
前記笠石の下面には、１対の前記ホゾ凸部と嵌合する１対のホゾ凹部と、該ホゾ凹部の笠石前面寄りの端部に連接する上ガイド溝と、該上ガイド溝よりも前面寄りであって上ガイド溝の中央から左右にかけて連接する被係止溝とが形成され、
前記供物台下石は、前面寄りの端部に沿って下ガイド溝を備え、
前記供物台扉は、上端部が前記上ガイド溝に、下端部が前記下ガイド溝に沿って移動可能であるとともに、
前記供物台扉は、閉じた状態では前記被係止溝に係止し、前記ホゾ凸部は前記ホゾ凹部の後端部に隙間を残して嵌め込まれ、
前記供物台扉が閉じた状態において前記笠石を前記隙間の長さ分だけ前方に引き出すと前記被係止溝が前記供物台扉から逸れ、前記上ガイド溝に沿って前記供物台扉が移動可能となることを特徴とする供物台。
【請求項２】
前記笠石の２箇所に設けた貫通孔を、前記石花立の各に設けた縦孔に連通させ、前記貫通孔及び前記縦孔に差し込んである花筒を取外すことにより、前記笠石を前方に引き出して前記供物台扉の開扉を可能とすることを特徴とする請求項１に記載の供物台。
【考案の詳細な説明】
【技術分野】
【０００１】
墓石等の前に配置される供物台であって、納骨空間に通ずる開口部に設けた引き戸の開閉および花筒等を応用したロック構造に特徴がある供物台に関する。
【背景技術】
【０００２】
お墓は、屋外に設置されるので、納骨室への開口部を塞ぐ扉を親族以外でも開閉でき不用心であったり、大規模地震や強風によって倒壊したり、さまざまな問題が発生するおそれがある。
このような問題からお墓を守るための多数のアイデアが特許出願や実用新案登録出願されている。下記の特許文献１〜２もその一例である。
【０００３】
特許文献１には、お墓に設けられる納骨空間の入口に取付けられる「お墓の納骨用扉」が開示されている。この発明は、悪戯で納骨用扉が開かれないようにすることを目的とする。この目的のために、納骨用扉の戸先側には開閉用の持ち手が設けられ、この持ち手には家紋を形成した飾り部材が係止して取付けられている。飾り部材を取外すならば簡単に開くことが出来るが、飾り部材を持ち手に取付けることで、他人には納骨用扉である旨の認識がされない。従って、無関係な人が扉を開けることを防ぐことができる。
特許文献２は、納骨の作業を容易にできる「供物台」が開示されている。
この発明の供物台は、仕切板を持ち上げなければ、骨蓋を引いて納骨用開口を開くことはできないので、開閉方法を知らない他人によってお墓を荒らされるのを防止できる。
【先行技術文献】
【特許文献】
【０００４】
【特許文献１】特開２０１０−１８９８４８号公報
【特許文献２】特許第３４３０４１２号公報
【特許文献３】実用新案登録第３１９６６８０号公報
【考案の概要】
【考案が解決しようとする課題】
【０００５】
特許文献１に記載された発明は、悪戯で納骨用扉が開かれることはなく、ある程度安全性が保たれるという利点がある。しかしながら、飾り部材を用いるにあたり、係止溝に金属を接着利用する為数年で剥がれてしまう。また、部品点数が多くコストが嵩む。さらに、防災面での効果、例えば、耐震性や強風への対策はない。
特許文献２に記載された発明も、無関係な第三者によって扉が容易には開けられないという利点はある。しかし、特許文献１の発明と同様に、扉の開閉に主たる工夫があるのであって、防災面では特に注意が払われていない。
【０００６】
上記のような従来技術において軽視されている点、およびお墓特有の事情（屋外に設置されること）に鑑み、本考案者は悪戯目的での開閉防止と耐震性能の向上と部品点数の少量化を同時に実現できる供物台を考案した（特許文献３）。
【０００７】
特許文献３に開示した供物台は、ロックされた扉の解除方法を知らない人によって扉を開けられることはない。しかし、一対の花立の間に形成された収納空間は、笠石を左右で支持する側壁石を有するため、この側壁石の分だけスペースが狭くなり、また、部品点数が多くなってコストも嵩む。さらに、石花立が供物台と一体化していないので、強風や地震のとき転倒する危険がある。
そこで、供物台の笠石の下方部分を大きく開放するとともに、石花立と一体化して、石花立の転倒を防止することを課題とする。さらに、特許文献３の供物台よりも扉のロックと解除とを部外者には一層分かりづらくすることも課題とする。
【課題を解決するための手段】
【０００８】
上記の目的を実現するために、請求項１に係る考案は、 
墓等（お墓のほかに、供養塔や五輪塔等もある）の納骨空間を塞ぐ位置に配置される供物台であって、
供物台下石と、この供物台下石の左右に立設する一対の石花立と、この石花立の上に掛け渡される笠石と、供物台の開口部を塞ぐ引き戸式の供物台扉と、仏花をお供えする一対の花筒から構成される。
石花立のそれぞれの上面には、前端部から直状に後方に向かって設けられ、後端部の手前で途切れるホゾ凸部と、
笠石の下面には、１対の前記ホゾ凸部と嵌合する１対のホゾ凹部と、ホゾ凹部の笠石前面寄りの端部に連接する上ガイド溝と、上ガイド溝よりも前面寄りであって上ガイド溝の中央から左右にかけて連接する被係止溝とが形成される。
供物台下石は、前面寄りの端部に沿って下ガイド溝を備え、
供物台扉は、上端部が上ガイド溝に、下端部が下ガイド溝に沿って移動可能である。
前記供物台扉は、閉じた状態では被係止溝に係止し、ホゾ凸部はホゾ凹部の後端部に隙間を残して嵌め込まれ、供物台扉が閉じた状態において笠石を前記隙間の長さ分だけ前方に引き出すと被係止溝が供物台扉から逸れ、上ガイド溝に沿って供物台扉が移動可能となることを特徴とする。
【０００９】
これによって、扉を閉めた状態のとき、笠石を手前に引かなければ開けることができない。つまり、この構造を知らなければ扉を開けることができないので、第三者による悪戯を防止できる。また、笠石を動かすことができるのは、ホゾ凸部とホゾ凹部との間に生じる隙間の長さだけに限られるので、たとえ大きな力を加えて引っ張ったとしても笠石が外れることはない。さらに、石花立は笠石より重くて安定しているので、係止溝（ホゾ凸部とホゾ凹部）で互いに助けあい、石花立も笠石も転倒しづらくなっている。
このような扉の開閉構造は、笠石の下面に３種類の溝（ホゾ凹部、上ガイド溝、および被係止溝）を設け、左右の石花立の各上面に突起部を設けることで実現できる。
また、左右二枚の扉を閉じた状態では、石花立の突起部と笠石の溝との間に隙間が有るため、ある程度の規模の地震が発生しても揺れを吸収できるので耐震性にも優れている。
しかも、いままでの供物台の壁を石花立で兼ねるため、部品点数が少なく、価格が安くて済む。そのうえ供物台の壁を省略できたので、広い空間を得ることができる。
【００１０】
上記の目的を実現するために、請求項２に係る考案は、 請求項１に記載の供物台であって、笠石に設けられた貫通孔を、石花立の縦孔に連通させ、貫通孔及び縦孔に差し込んである花筒を取外すことにより、笠石を前方に引き出して供物台扉の開扉を可能とすることを特徴とする。
扉を閉じた状態のときは、石花立の縦孔と笠石の貫通孔とが連通して花筒を差し込むことができる。これにより、笠石とずれないように石花立は花筒で止められる。
扉を開けるときは、花筒を取り外して笠石を手前にずらす。つまり、花筒を差し込んだり取外したりすることで扉をロックしたりロック解除したりできるのである。この仕組みを知らない人は、扉を開けることができない。
【考案の効果】
【００１１】
本考案の供物台は、開閉方法を知らなければ扉を開けることができないので悪戯を防止できる。また、左右の石花立の間を広く収納空間とすることができる。さらに、石花立が花筒を介して笠石で止められるので耐震性も向上する。
【図面の簡単な説明】
【００１２】
【図１】実施形態の供物台が配置された墓石の正面図である。
【図２】実施形態の供物台の、（ａ）平面図、（ｂ）正面図、（ｃ）右側面図である。
【図３】実施形態の供物台を構成する供物台下石及び立設した石花立の、（ａ）平面図、（ｂ）正面図、（ｃ）右側面図である。
【図４】実施形態の供物台を構成する笠石の、（ａ）正面図、（ｂ）底面図、（ｃ）〜（ｅ）は、（ａ）・（ｂ）のＡ−Ａ線、Ｂ−Ｂ線、Ｃ−Ｃ線にそれぞれ対応する断面図である。
【図５】実施形態の供物台の扉の開閉構造を説明する図であって、（ａ）は閉じられた二枚扉がロックされている状態、（ｂ）は（ａ）のロックが解除された状態、（ｃ）は二重の二枚扉のそれぞれを開いた状態を示す図である。
【図６】実施形態の供物台の扉の開閉構造を説明する図であって、（ａ）は二枚扉がロックされている状態、（ｂ）は二枚扉のロックが解除されている状態の右側面図である。
【考案を実施するための形態】
【００１３】
本考案の実施形態について、図面を参照しながら説明する。
本実施形態の供物台１００は、図１に示すようにお墓（お墓に限らず、供養塔や五輪塔なども含む）２００の前に配置される。
お墓２００は、芝台石２０１、中台石２０２、上台石２０３、竿石２０４を積み重ねて構成される。納骨室（図示せず）への開口部が中台石２０２等の前面に設けられ、この開口部を塞ぐように供物台１００が配置される。
なお、図１では、本考案の実施部分（からくり式の扉３、石花立４および花筒５を含む供物台１００と納骨スペースからなる）のみを実線で表し、お墓２００の他の構成要素は破線で表している。
【００１４】
供物台１００は、図２（ａ）の平面図、（ｂ）の正面図、（ｃ）の側面図に示すように、笠石１と供物台下石２と引き戸タイプの供物台扉３とからなる。これらに石花立が一体化され、扉３が閉じた状態のときに花筒５が差し込まれる。納骨空間への通路を形成する供物台下石２と、この通路入り口を塞ぐ供物台扉３との上に、笠石１が載置されている。供物台扉３として、左右に開閉する二枚扉３１と二枚扉３２が前後二重に取り付けられている。供物台扉３は、上ガイド溝１３の左右端部で移動を規制される（図５（ｃ）のストッパー１３ｓを参照）。ストッパー１３ｓの位置の決め方によって、笠石１の下方の開口は自由に工夫できる。
供物台扉３を二重にしたのは、１枚あたりの扉が軽くなり開閉が容易になるとともに、雨水や小動物の侵入防止に効果的だからである。
また扉３には、虫よけのため２枚のカバー３３を取り付けてもよい。
【００１５】
図３（ａ）の平面図、（ｂ）の正面図、および（ｃ）の右側面図を参照しながら、供物台下石２について説明する。
供物台下石２は、矩形状の台座部２１の上の左右に石花立４が設けられ、対の石花立４の間が納骨空間へ通ずる通路２２を形成する。
石花立４のそれぞれの上面には、前面Ｆから後方に向かって直状のホゾ凸部４１が設けられている。ホゾ凸部４１は、石花立４の後面Ｂの手前で途切れている（図３（ａ）参照）。この２つのホゾ凸部４１は、笠石１の下面に設けた２箇所のホゾ凹部１２（図４（ｂ）参照）と嵌合する。また、石花立４には、花筒５を差し込むための縦孔４２が穿たれている。なお、石花立４には水抜き穴がついているが、図示は省略する。
台座部２１の前部２１ｆを上方に盛り上げて被係止壁２４とし、石花立４の下端部と被係止壁２４との間の帯状領域を、供物台扉３をガイドする下ガイド溝２３として形成する。
下ガイド溝２３の左右端部２３ａ、２３ｂは外側に向かって下方に傾斜している。また、被係止壁２４の中央部には、切り込み２５が設けられている。左右端部２３ａ、２３ｂの傾斜および切り込み２５によって雨水などが流れ落ち、下ガイド溝２３に滞留することはない。
なお供物台下石２および石花立４の背面は、図３（ｃ）に示すように中台石２０２等のお墓を構成する石（以下、「中台石等２０２」という）の前面に当接するように配置する。特許文献３の供物台では、石花立の内側に側壁石を設置し、この１対の側壁石で笠石を支持していた。側壁石の上面に笠石と嵌合するホゾ凸部を設ける必要上、側壁石はある程度の幅が必要とされていたので、この幅の分だけ笠石の下方の空間が狭められていた。しかし、本考案では、左右の石花立４が笠石１を支持するので側壁石を不要とし、その結果収納空間を広くとることができる。また、コスト削減の効果もある。
【００１６】
次に、図４を参照しながら笠石１について説明する。
図４（ａ）は笠石１の正面図、（ｂ）は下から見上げた図、（ｃ）は（ａ）及び（ｂ）のＡ−Ａ線の断面図、（ｄ）はＢ−Ｂ線の断面図、（ｅ）はＣ−Ｃ線の断面図である。
笠石１の供物載置部１１は平面状であって墓前に供える供物が載せられる。
笠石１の下面には各石花立４のホゾ凸部４１に対応する２箇所にホゾ凹部１２が形成され、ホゾ凹部１２のそれぞれの一方の端部に連接する上ガイド溝１３が形成される。さらに、笠石１の前面寄りであって上ガイド溝１３の中央から左右にかけて供物台扉３をロックするための被係止溝１４が形成されている。上ガイド溝１３と被係止溝１４は連接しており、溝の深さは同一である。
笠石１は、左右の石花立４の上に掛け渡される。また、笠石１は石花立４の縦孔４２と連通する２個の貫通孔１５を左右に有している。
【００１７】
次に、供物台１００の引き戸式の供物台扉３の開閉作業について、図５，６を参照しながら説明する。
図５（ａ）〜（ｃ）は、供物台扉３の開閉を説明する図であり、説明を分かりやすくするために石花立４のホゾ凸部４１は、笠石１のホゾ凹部１２と嵌合している箇所を塗りつぶして表示し、供物台扉３の上端も塗りつぶして表示する。
また、笠石１は、下面に形成されたホゾ凹部１２と２種類の溝（上ガイド溝１３，被係止溝１４）のみを表示する。
【００１８】
図５（ａ）は、供物台扉３１，３２のいずれもが閉じた状態を示す。供物台下石２も笠石１もいずれも背面が中台石等２０２に当接している。
石花立４のホゾ凸部４１が笠石１のホゾ凹部１２と嵌合している。ホゾ凸部４１はホゾ凹部１２の終端ｔよりも長さｄだけ前面寄りに嵌めこまれ、この分が隙間となっている。供物台扉３の二重扉３１，３２は開口部の中央の位置において閉じており、表側の扉３１の前面の上端部が笠石１の被係止溝１４に当たっているので、扉３１および３２はいずれも移動することができない。これにより供物台扉３は安定して閉じた状態を保つことができる。このときの供物台１００の右側面図が図６（ａ）である。供物台扉３は閉じた状態にあるとき、笠石１と石花立４とは一体化しており、地震や強風などに見舞われても石花立４が転倒することを防止できる。この状態において、貫通孔１５とこれに連通する縦孔４２に花筒５を差し込むと、笠石１と石花立４がさらに強固に一体化されて、供物台扉３をロックできる。つまり、花筒５は、供物台扉３をロックする鍵の役割も果たすのである。この花筒５は、破損変形しにくく腐食に強く、強風で飛ばされない程度の重量のあるステンレス鋼などの金属製、石材製、硬質セラミック製等が望ましい。
このロック機能によって、納骨などのとき以外は、悪戯によっても風雨などの外力によっても供物台扉３が開かないようになる。従来の引き戸式は、強風や大雨時に自然に扉が開いてお骨が見えたり、雨漏りしたり扉が外れたりしたが、本考案ではこれらの問題点を解決したのである。
【００１９】
納骨などのために供物台扉３を開けるときは、図５（ｂ）に示すように、花筒５を取り外してから笠石１を手前に引く。このとき、ホゾ凸部４１とホゾ凹部１２によって形成されていた隙間の長さｄの分（約５ｍｍ）だけ手前に移動可能であって、移動後ホゾ凹部１２の終端ｔにホゾ凸部４１が係止される。このときの供物台１００の状態を図６（ｂ）の右側面図に示す。
一方、笠石１が前方に引き出されたことにより、被係止溝１４が供物台扉３から外れて、図５（ｃ）に示すように左右方向にスライド可能となる。供物台扉３１と供物台扉３２の左右２枚の上端部は笠石１の下面に設けた上ガイド溝１３に嵌り、下端部は供物台下石２に設けた下ガイド溝２３に嵌ってガイドされている。従って、供物台扉３１、３２は上下のガイド溝１３と２３に沿って左右に移動できる。ただし、上ガイド溝１３両端部のストッパー１３ｓによって移動範囲は規制されるので、供物台扉３１，３２を開けたとき、笠石１および供物台下石２から外れ落ちることはない。
このように、花筒５を取り外してから笠石１を手前に引くならば、閉じた供物台扉３を開けることができるのであるが、この開閉方法について説明を受けていない人にとっては開閉しにくい。
【００２０】
納骨などの作業が終わり、供物台扉を閉じるためには、上記と逆の作業を行えばよい。
図５（ｃ）に示すように開いた供物台扉３を、図５（ｂ）に示すように中央の位置で閉め、図５（ａ）に示すように中台石等２０２に当接するまで笠石１を奥方へ押し、花筒５を差し込めばよい。これにより、供物台扉３１の上端部は笠石１の被係止溝１４に当たって係止され開かなくなる。
また、ホゾ凸部４１とホゾ凹部１２との間に長さｄの隙間が生じるので、振動などの外部の衝撃をある程度吸収できる。
【００２１】
以上、本考案の供物台１００について説明したが、これは一実施の形態にすぎず、本考案の趣旨を逸脱しない範囲における設計の変更などがあっても本考案に含まれる。
例えば、本説明では、供物台扉は二重として説明したが、軽量化の工夫を伴えば一重でも構わない。
墓石については、図１に例示するものに限らず、例えば、上台石と竿石との間に蓮華台などを入れた構造のものもある。本考案の供物台を配置できるのであれば、どのような構造の石塔であってもよい。
【産業上の利用可能性】
【００２２】
本考案の供物台は、さまざまな観点から安全で且つプライバシーの保護に配慮し、しかも収納スペースが広く部品点数が少ないことから、墓石を扱う石材業における需要が期待できる。
【符号の説明】
【００２３】
１００：供物台
１：笠石
１２：ホゾ凹部
１３：上ガイド溝
１４：被係止溝
１５：貫通孔
２：供物台下石
２３：下ガイド溝
３：供物台扉
３１：（前側の）二枚扉
３２：（後側の）二枚扉
３３：カバー
４：石花立
４１：ホゾ凸部
４２：縦孔
５：花筒
【図１】
0003227426.tif 000003
【図２】
0003227426.tif 000004
【図３】
0003227426.tif 000005
【図４】
0003227426.tif 000006
【図５】
0003227426.tif 000007
【図６】
0003227426.tif 000008